(57)【要約】【課題】ディスプレイが小型であっても容易にユーザ所望のプレイリストを作成する。【解決手段】特殊なパターンおよび楽曲を選択するための楽曲選曲図が重ねて印刷された楽曲選曲シート５と、楽曲選曲シート５上をなぞることにより該楽曲選曲シート５上に印刷された特殊なパターンを読み取って軌跡情報を出力する電子ペン４と、電子ペン４より出力される軌跡情報に基づいて複数の楽曲が記憶される楽曲ＤＢの中から楽曲のプレイリストを生成する制御部と、を備える。【選択図】図１
2009199668.tif 000002
【特許請求の範囲】
【請求項１】
特殊なパターンおよび楽曲を選択するための楽曲選曲図が重ねて印刷された専用シートと、上記専用シート上をなぞることにより該専用シート上に印刷された特殊なパターンを読み取って軌跡情報を出力する携帯入力装置と、
上記携帯入力装置より出力される上記軌跡情報に基づいて複数の楽曲が記憶される楽曲ＤＢの中から楽曲のプレイリストを生成する制御部と、
を備えることを特徴とする楽曲選曲システム。
【請求項２】
前記制御部は、
前記楽曲ＤＢに記憶される楽曲の楽曲名と、該楽曲名毎の書誌データと、を対応付けて記憶する楽曲書誌データ記憶部と、
前記軌跡情報に含まれる位置情報と上記書誌データとを対応付けて記憶する変換テーブルと、
上記位置情報に対応した上記書誌データを上記変換テーブルから読み出し、上記書誌データに対応した楽曲名を上記楽曲書誌データ記憶部から検索し出力する取得データ解析部と、
上記取得データ解析部より出力された上記楽曲名を入力・記憶し、前記携帯入力装置による楽曲の選択が完了した時点において、記憶された複数の上記楽曲名からプレイリストを生成するプレイリスト生成部と、
を備えることを特徴とする請求項１に楽曲選曲システム。
【請求項３】
前記プレイリスト生成部は、前記携帯入力装置により前記専用シート上をなぞり始めた開始点に対応する楽曲から楽曲再生を開始し、なぞり終わった終了点に対応する楽曲までを順次に再生するためのプレイリストを生成することを特徴とする請求項２に記載の楽曲選曲システム。
【請求項４】
前記位置情報と、それに対応する時間情報とを含む前記軌跡情報を記憶する軌跡情報記憶部を備え、
前記取得データ解析部は、上記軌跡情報記憶部より、上記時間情報に対応する上記位置情報を順次に検索することで該位置情報から前記楽曲名を順次に得て出力し、
前記プレイリスト生成部は、上記軌跡情報記憶部から一連の上記位置情報の入力が完了した時点までに得られた複数の上記楽曲名からプレイリストを生成する、
ことを特徴とする請求項２に記載の楽曲選曲システム。
【請求項５】
前記携帯入力装置が前記専用シート上をなぞることにより得られるなぞり始めから終了までの間に得られる一連の前記軌跡情報は、該携帯入力装置内部の不揮発性メモリに一旦記憶され、
前記軌跡情報の前記携帯入力装置から前記制御部への出力は、前記携帯入力装置の本体に設けられた専用のスイッチの操作、または、前記携帯入力装置と前記制御部との有線もしくは無線による接続が行われたことをトリガとして開始され、
前記制御部は、前記軌跡情報の入力が開始されたことにより、前記楽曲名の検索を開始する、
ことを特徴とする請求項１から４のいずれか1項に記載の楽曲選曲システム。
【請求項６】
前記制御部は、複数の前記専用シートまたは縦軸や横軸のパラメータやグリッドのサイズを変更しなぞることにより得られた、それぞれ複数の前記楽曲名の集合体間の全てにおいて論理積をとることにより、ユーザが所望する楽曲の選曲のさらなる絞込みを行うことを特徴とする請求項１から５のいずれか1項に記載の楽曲選曲システム。
【請求項７】
特殊なパターンおよび楽曲を選択するための楽曲選曲図が重ねて印刷された専用シート上をなぞることにより該専用シート上に印刷された特殊なパターンを読み取って軌跡情報を出力するステップと、
上記軌跡情報に含まれる位置情報と書誌データとを対応付けて記憶した記憶部から、上記位置情報に対応する書誌データを検索するステップと、
検索された上記書誌データに対応する楽曲名を検索し出力するステップと、
上記出力された上記楽曲名を記憶し、上記パターンの読み取りが完了した時点において、記憶された複数の上記楽曲名からプレイリストを生成するステップと、
を有することを特徴とする楽曲選曲方法。
【発明の詳細な説明】
【技術分野】
【０００１】
本発明は、楽曲選曲システムおよび楽曲選曲方法に関する。
【背景技術】
【０００２】
近年、楽曲再生装置には、ハードディスクなどの大容量蓄積装置が搭載されるようになってきている。そのような楽曲再生装置では、従来のように楽曲コンテンツが格納されたＣＤ（Compact Disc）やＭＤ（Mini Disc）などのメディア取り替え操作を行うことなく、大量の楽曲コンテンツを長時間連続して再生することが可能となっている。さらに、楽曲再生装置をネットワークに接続することが急速に普及し、ネットワークを介して膨大な量の楽曲コンテンツをダウンロード等することにより、連続して再生することが可能となりつつある。
【０００３】
ここで、従来、複数の楽曲コンテンツの中からユーザが聞きたいと思う楽曲を希望通りの順序で再生する方法としては、ユーザが一曲ずつ選曲し楽曲の再生順序を指定したプレイリストを作成し、そのプレイリストに従って楽曲を順に再生していく方法が主流である。しかし、楽曲コンテンツ数の増大に伴い、大量のコンテンツから手作業で希望の楽曲を選曲する作業は非常に煩雑なものとなる。
【０００４】
これを改善する手法として、ユーザがマウスやタッチパネルを利用して、ディスプレイ上の任意の点を指定する度に、全体制約条件を満たすよう、楽曲コンテンツをマッピングした検索空間上の探索範囲を動的に変更して楽曲抽出処理を行い、その結果をユーザにフィードバックすることにより、楽曲選曲を行う技術が開示されている（例えば、特許文献１参照）。また、楽曲を、ユーザの持つ印象度データに置き換え、ディスプレイ上にマッピングし、これらをマウス等で選択することにより楽曲選曲を行う技術が開示されている（例えば、特許文献２参照）。
【０００５】
特許文献１に開示されているプレイリスト生成装置では、プレイリストを生成するための条件として、全体制約条件と時系列嗜好条件の２つを利用する。検索空間上にマッピングした楽曲コンテンツに対し、時系列嗜好条件としてユーザが空間上の任意の点をマウスやタッチパネル等を利用して指定する度に、全体制約条件を満たすために動的に探索範囲を変更して楽曲抽出処理を行い、その結果をユーザにフィードバックする。これにより、ユーザは、プレイリストに加えられる楽曲をディスプレイ上で視認（確認）しながら、希望するプレイリストを作成することができる。
【０００６】
特許文献２に開示されている楽曲検索システムでは、階層型ニューラルネットワークによって、楽曲の有する物理的な複数の項目からなる特徴データと、人間の感性によって判断される項目からなる印象度データとを直接関連づけている。この関連づけにより、人間の感性によって判断される印象度データに基づいて精度の高い楽曲データの検索、すなわちユーザの希望するプレイリストを作成することができる。
【０００７】
【特許文献１】特開２００６−０３９７０４号公報
【特許文献２】特開２００５−２３５２７８号公報
【発明の開示】
【発明が解決しようとする課題】
【０００８】
しかしながら、上述のようなプレイリスト生成装置（特許文献１）や楽曲検索システム（特許文献２）において楽曲のプレイリストを作成する場合には、マウスやタッチペン等により直接ディスプレイ上にマッピングされた楽曲コンテンツを指定することになる。このため、ディスプレイの大きさの影響が大きく、特に小さなディスプレイなどで楽曲コンテンツの指定を行う場合、大雑把な指定しかできず、ユーザ所望の楽曲を上手く指定することができないという問題がある。さらに、このディスプレイ上で直接選曲する方式の場合、ディスプレイから離れた位置からの楽曲選曲が困難となる。特に車載装置の場合、人が容易には移動できない後部座席の人は、実質的に選曲ができない状況となる。
【０００９】
また、バックグランドミュージックの楽曲選曲においては、多くの場合、ユーザは、具体的な曲（楽曲名）を指定したいのではなく、所定の雰囲気を持った楽曲を聴きたくて選曲する場合が多く、ある程度選曲される楽曲の幅を広げる（楽曲選曲にランダム性を持たせる）ことが好ましい。
【００１０】
本発明は、係る問題に鑑みてなされたもので、曲名や歌手名を知らなくても、また、ディスプレイが小型のものであっても、さらに、ディスプレイから離れた場所であっても、容易に、且つ楽曲の演奏順序を考慮したプレイリストの作成（楽曲選曲）が可能な楽曲選曲システムおよび楽曲選曲方法を提供することを目的とする。
【課題を解決するための手段】
【００１１】
上述の目的を達成するため、本発明の楽曲選曲システムは、特殊なパターンおよび楽曲を選択するための楽曲選曲図が重ねて印刷された専用シートと、専用シート上をなぞることにより該専用シート上に印刷された特殊なパターンを読み取って軌跡情報を出力する携帯入力装置と、携帯入力装置より出力される軌跡情報に基づいて複数の楽曲が記憶される楽曲ＤＢの中から楽曲のプレイリストを生成する制御部と、を備えるものである。
【００１２】
また、本発明の楽曲選曲システムは、上述の発明において、制御部は、楽曲ＤＢに記憶される楽曲の楽曲名と、該楽曲名毎の書誌データと、を対応付けて記憶する楽曲書誌データ記憶部と、軌跡情報に含まれる位置情報と書誌データとを対応付けて記憶する変換テーブルと、位置情報に対応した書誌データを変換テーブルから読み出し、書誌データに対応した楽曲名を楽曲書誌データ記憶部から検索し出力する取得データ解析部と、取得データ解析部より出力された楽曲名を入力・記憶し、携帯入力装置による楽曲の選択が完了した時点において、記憶された複数の楽曲名からプレイリストを生成するプレイリスト生成部と、を備えるものである。
【００１３】
また、本発明の楽曲選曲システムは、上述の発明において、プレイリスト生成部は、携帯入力装置により専用シート上をなぞり始めた開始点に対応する楽曲から楽曲再生を開始し、なぞり終わった終了点に対応する楽曲までを順次に再生するためのプレイリストを生成する、ものである。
【００１４】
また、本発明の楽曲選曲システムは、上述の発明において、位置情報と、それに対応する時間情報とを含む軌跡情報を記憶する軌跡情報記憶部を備え、取得データ解析部は、軌跡情報記憶部より、時間情報に対応する位置情報を順次に検索することで該位置情報から楽曲名を順次に得て出力し、プレイリスト生成部は、軌跡情報記憶部から一連の位置情報の入力が完了した時点までに得られた複数の楽曲名からプレイリストを生成する、ものである。
【００１５】
また、本発明の楽曲選曲システムは、上述の発明において、携帯入力装置が専用シート上をなぞることにより得られるなぞり始めから終了までの間に得られる一連の軌跡情報は、該携帯入力装置内部の不揮発性メモリに一旦記憶され、軌跡情報の携帯入力装置から制御部への出力は、携帯入力装置の本体に設けられた専用のスイッチの操作、または、携帯入力装置と制御部との有線もしくは無線による接続が行われたことをトリガとして開始され、制御部は、軌跡情報の入力が開始されたことにより、楽曲名の検索を開始する、ものである。
【００１６】
また、本発明の楽曲選曲システムは、上述の発明において、制御部は、複数の専用シートまたは縦軸や横軸のパラメータやグリッドのサイズを変更しなぞることにより得られた、それぞれ複数の楽曲名の集合体間の全てにおいて論理積をとることにより、ユーザが所望する楽曲の選曲のさらなる絞込みを行うものである。
【００１７】
また、本発明の楽曲選曲方法は、特殊なパターンおよび楽曲を選択するための楽曲選曲図が重ねて印刷された専用シート上をなぞることにより該専用シート上に印刷された特殊なパターンを読み取って軌跡情報を出力するステップと、軌跡情報に含まれる位置情報と書誌データとを対応付けて記憶した記憶部から、位置情報に対応する書誌データを検索するステップと、検索された書誌データに対応する楽曲名を検索し出力するステップと、出力された楽曲名を記憶し、パターンの読み取りが完了した時点において、記憶された複数の楽曲名からプレイリストを生成するステップと、を有するものである。
【発明の効果】
【００１８】
本発明によれば、曲名や歌手名を知らなくても、また、ディスプレイが小型のものであっても、さらに、ディスプレイから離れた場所であっても、容易に、かつ楽曲の演奏順序を考慮したプレイリストの作成（楽曲選曲）が可能となる。
【発明を実施するための最良の形態】
【００１９】
以下、本発明の実施の形態に係る楽曲選曲システムについて説明する。この該楽曲選曲システムは、ＡＶＮ（オーディオ一体型ナビゲーション装置）システムに適用したものである。なお、楽曲選曲システムとしては、ＡＶＮに限定されるものではなく、オーディオプレイヤー、据え置き型オーディオシステム、パソコンやＰＤＡ（Personal Digital Assistant）等に適用することも可能である。
【００２０】
図１は、本発明の実施の形態に係るＡＶＮシステム１の主要構成を示す構成図である。ＡＶＮシステム１は、自動車に設置されるナビゲーション装置としてのＡＶＮ本体２と、ＵＳＢ（Ｕｎｉｖｅｒｓａｌ  Ｓｅｒｉａｌ  Ｂｕｓ）ケーブル３により接続可能な、携帯入力装置としての電子ペン４と、電子ペン４にて読取可能な特殊なパターンと楽曲を選択するための楽曲選曲図（後述）が重ねて印刷された専用シートである印刷物としての楽曲選曲シート５と、を有する。また、ＡＶＮ本体２は、表示部１０を有する。なお、ＵＳＢケーブル３は、通信ケーブル（有線）の一種であるが、例えば、ブルートゥースなどの無線通信ケーブルで構成されていても良い。
【００２１】
図２は、図１中の楽曲選曲シート５中の１ページを示す図でそのページを使用して所定の設定をした場合の電子ペン４の軌跡を示す図である。図２において「レ」で示されるものと、楽曲選曲図２１中の曲線は、電子ペン４でなぞった軌跡を示す。図２に示すように、楽曲選曲図２１を含む楽曲選曲シート５は、例えば、楽曲を選択するための楽曲選曲図２１と、楽曲選曲図２１の<<横軸>>および<<縦軸>>のパラメータを設定するための横縦軸用コマンドマーク２２と、<<グリッド>>を設定するためのグリッド用コマンドマーク２３と、楽曲の選択動作（プレイリストの生成動作）を開始するためのスタート用コマンドマーク（“ＳＴＡＲＴ”マーク）２４が印刷されている。また、各ページには後述する複数のドット１２からなる複数の座標パターン１３が印刷されている。この座標パターン１３は、前述の楽曲選曲図２１およびコマンドマーク２２，２３，２４と重ねて印刷されている（図では、２分割して表記）。また、座標パターン１３は、図２に示すように各ページの全面に印刷されているが、部分的な印刷であってもよい。
【００２２】
なお、本実施の形態では、楽曲の選択（プレイリストの生成：後述）は、例えば、（ａ）横軸の設定→（ｂ）縦軸の設定→（ｃ）グリッドの設定→（ｄ）楽曲選曲図２１上を電子ペン４でなぞることによる楽曲のイメージによる選択→（ｅ）スタート用コマンドマーク２４の選択の順で操作することにより行われる。また、上述の設定や選択は、それぞれ楽曲選曲シート５上の所定の位置を、電子ペン４でなぞることにより行われる。なお、上述の（ａ）〜（ｄ）の操作は、上述の順番通りに行う必要は無い。
【００２３】
横縦軸用コマンドマーク２２は、楽曲選曲図２１の<<横軸>>方向における楽曲のイメージ（パラメータ）と楽曲選曲図２１の<<縦軸>>方向における楽曲のイメージを設定するものである。具体的には、<<横軸>>方向については、選曲したい楽曲の明るさ［明暗］、楽曲の激しさ［静激］、楽曲のテンポ［遅速］、および楽曲の年代［新旧］が設定できる。一方<<縦軸>>については、選曲したい楽曲の激しさ［静激］、楽曲のテンポ［遅速］、および楽曲の年代［新旧］を設定できる。
【００２４】
また、グリッド用コマンドマーク２３は、ユーザが電子ペン４により楽曲選曲シート５をなぞることにより楽曲選択した楽曲の選択範囲、すなわち、どれだけ電子ペン４にてなぞった軌跡（線）に近いものを許容するか（詳細は後述）を設定するためのものである。また、スタート用コマンドマーク２４は、楽曲の選択動作（プレイリストの生成動作）を開始させるためのものである。
【００２５】
図３に楽曲選択（楽曲選択のための解析）が行われた後における解析例を示す。このような解析結果は、図２で示される楽曲選曲シート５を電子ペン４でなぞって選曲したグリッドによる範囲を表した図であるが、このような解析例をＡＶＮ本体２の表示部１０で表示してもよい。図３では、楽曲選曲図２１の横軸方向が楽曲の明るさ［明暗］に設定され、縦軸方向が楽曲のテンポ［遅速］に設定され、グリッドが［中］に設定されている。なお、本実施の形態では、グリッド大は斜線を記した４×４コマに、グリッド中は横線を記した２×２コマに、グリッド小は縦線を記した１×１コマにそれぞれ設定されている。図３では、［大］［中］［小］が混在しているが、［大］を選択した場合、図３で示されている［中］［小］の領域が全て斜線で示される［大］の領域として表示され、［中］を選択した場合、図３で示されている斜線の領域が削除されると共に、縦線の領域となる［小］の領域が削除され、横線で示される［中］の領域のみの表示がなされる。また、［小］を選択した場合、［大］［中］として表示されている領域が削除され、縦線で示される［小］の領域のみとなる。
【００２６】
図３に示すようにグリッドが［中］の場合、ユーザがなぞった曲線ｘによって、選択された楽曲は白丸で表示され、選択されなかった楽曲は黒丸で表示されている。なお、この解析例は、表示部１０に表示しないようにしても良い。なお、表示部に表示させる場合、表示部１０には、楽曲選曲図２１のみ表示させ、各コマンドマーク２２，２３，２４は表示しないようにしても良い。
【００２７】
また、楽曲選曲シート５は、図４に示すように複数のページで構成されていても良い。すなわち、図４は、電子ペン４で読取可能な特殊なパターンと楽曲を選択するための楽曲選曲図２１が重ねて印刷された専用シートを製本したものをばらして表示したものである。この場合、横軸および縦軸の選択（設定：印刷）が既に行われた複数ページのシートが用意されるため、<<横軸>>および<<縦軸>>を設定するための横縦軸用コマンドマーク２２はシート上に設けられていない。なお、横軸および縦軸の選択に加え、グリッドの選択が行われたシートを用意するようにしても良い。この場合、グリッド用コマンドマーク２３はシート上に設けられなくなる。なお、図４では、一例として４ページ分の楽曲選曲シート５を示しているが、これに限られるものではなく、実際には、横軸や縦軸のパラメータ、およびグリッドのサイズ（設定パラメータ）のそれぞれの数の組み合わせの数分だけ専用シートを設けるようにしても良い。
【００２８】
図５は、図２の楽曲選曲シート５の専用シート（以下、紙面ともいう）の部分断面図である。楽曲選曲シート５（の各ページ）は、図５に示すように、シート本体１１の紙面に、赤外線を吸収するインク１２ａからなるドット１２と、赤外線を透過するインク１２ｂからなる楽曲選曲図とが印刷されたものである。シート本体１１には、まず、赤外線を吸収するインク１２ａが印刷され、その上に、赤外線を透過するインク１２ｂにより楽曲選択のための情報が印刷される。
【００２９】
楽曲選曲シート５の各ページには、赤外線を吸収するインク１２ａにより、複数の座標パターン１３が印刷される。座標パターン１３は、電子ペン４により読み取り可能な解像度のパターンであり、例えば、６×６個のドット１２により構成されている。
【００３０】
図６は、シート本体１１に対する複数の座標パターン１３の印刷状態の一例を示す説明図である。図６において、複数の座標パターン１３を構成する複数のドット１２は、略０．３ミリメートル間隔で、縦横に配列されている。そして、１つの座標パターン１３は、６×６個の計３６個のドット１２により構成される。座標パターン１３内におけるその複数のドット１２の配置は、少なくともその紙面中の複数の座標パターン１３において互いが区別できるように、座標パターン１３毎に互いに異なる。
【００３１】
座標パターン１３は、左右上下に１列または１行ずれることで異なる座標パターン１３となる。また、斜め上、斜め下に１ます分ずれることで異なる座標パターン１３となる。図６で示す座標パターン１３は、その座標パターン１３の中心のます目である中心ます目１３ａの位置を示すパターンとなる。他の座標パターン１３もそれぞれ中心位置を示すものとなる。
【００３２】
具体的にはたとえば、各ドット１２は、図６中の所定の一定間隔毎の縦基準線と横基準線とからなる直交格子１６の交点の位置を基準として、上下左右のいずれか１つの方向（すなわち、４つの方向の中の１つの方向）へ少しずれた位置に印刷される。そして、各座標パターン１３における６×６個の合計３６個のドット１２のずれ方向の組合せは、複数の座標パターン１３の中で唯一なものとなっている。これにより、複数のドット１２の中から６×６個のドット１２を選んだとき、その３６個のドット１２のずれ方向の組合せは、他のすべての３６個のドット１２によるずれ方向の組合せと異なるものとすることができる。この組み合わせは４の３６乗とおりとなる。
【００３３】
この複数の座標パターン１３の中で唯一となる３６個のドット１２のずれ方向の組合せにより、各座標パターン１３には、ユニークな座標値を対応付けることができる。
【００３４】
複数の座標パターン１３は、楽曲選曲シート５の紙面の略全面に印刷される。複数の座標パターン１３は、図２の楽曲選曲シート５のページ中の、各コマンドマーク２２，２３，２４と重なる領域を含め、紙面の全面に印刷される。しかし、楽曲選曲図２１の箇所のみに座標パターン１３を配置させても良い。複数の座標パターン１３上には、楽曲選曲図２１や各コマンドマーク２２，２３，２４が重ねて印刷される。しかし、逆に、楽曲選曲図２１や各コマンドマーク２２，２３，２４の上に座標パターン１３を印刷しても良い。
【００３５】
シート本体１１の略全面に印刷される複数の座標パターン１３は、それぞれのユニークなドット１２の配列に基づいて、電子ペン４により互いに異なる座標値の座標データへ変換される。楽曲選曲図２１と重ねて印刷される複数の座標パターン１３は、紙面上の位置に応じて互いに異なるものとなる。複数の座標パターン１３は、たとえば紙面の左上隅を基準（０，０）とする、Ｘ，Ｙの二次元の座標データへ変換される。図２の紙面では、紙面の横方向がＸ軸であり、紙面の縦方向がＹ軸である。
【００３６】
なお、複数の座標パターン１３は、たとえば１冊の楽曲選曲シート５のすべてのページを１つの大きな紙面上に並べたと仮定した状態において、その大きな紙面の左上隅を基準（０，０）とする、Ｘ，Ｙの二次元の座標データへ変換されるものであってもよい。この変形例の場合、二次元の座標データにより、ページ内の読取位置のみならず、楽曲選曲シート５中のページも特定することが可能である。この二次元座標データは、上述したように、直交格子１６の交点から少しずれた６×６の３６個のドット群から絶対アドレスを算出するようになっている。これにより、この座標パターン１３が印刷された位置や、どの紙（何ページ目の紙）であるかが判断される。この例では、表現できるアドレス面積は、理論的にはユーラシア大陸に匹敵する面積がある。
【００３７】
楽曲選曲シート５の各ページには、図５に示すように、赤外線を吸収するインク１２ａの上に、赤外線を透過するインク１２ｂにより、楽曲を選曲するための楽曲選曲図２１や、各種の長方形のコマンドマーク２２，２３，２４とが印刷される。楽曲選曲図２１および複数のコマンドマーク２２，２３，２４は、シート本体１１の別々の領域に、互いに重ることがないように領域を分けて印刷される。
【００３８】
赤外線を透過するインク１２ｂによりシート本体１１に形成される各コマンドマーク２２，２３，２４等は、楽曲選択のための条件を設定したり、電子ペン４を制御するためのものである。
【００３９】
図７は、図１中の電子ペン４の構成を示すブロック図である。電子ペン４は、ペン軸３１、筆圧センサ３２、赤外線ＬＥＤ（Ｌｉｇｈｔ  Ｅｍｉｔｔｉｎｇ  Ｄｉｏｄｅ）３３、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ３４、ＵＳＢケーブル３が接続されるＵＳＢＩ／Ｆ（ＵＳＢインタフェース）３５、時刻情報を生成するタイマ３６、不揮発性メモリ３７、マイクロコンピュータ３８などを有する。電子ペン４は、図１に示すように、細長い棒形状のハウジング３９を有する。
【００４０】
なお、電子ペン４やＡＶＮ本体２は、ＵＳＢＩ／Ｆ３５の代わりに、たとえばブルートゥースなどの無線通信Ｉ／Ｆを備えるものであってもよい。また、タイマ３６は、電子ペン４がたとえばリセットされてからの経過時間などを時刻として計測するものであってもよい。不揮発性メモリ３７は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などで構成される。
【００４１】
ペン軸３１は、この細長い棒形状のハウジング３９の一端部に、突出して配設される。筆圧センサ３２は、ペン軸３１に作用する筆圧を検出する。筆圧センサ３２は、検出した筆圧値をマイクロコンピュータ３８へ出力する。電子ペン４は、このペン軸３１を利用して画や文字を描くことができるようになっているが、文字等を描くことができず、楽曲選曲シート５を単になぞるだけのものとしてもよい。
【００４２】
赤外線ＬＥＤ３３およびＣＭＯＳセンサ３４は、ハウジング３９の一端部において、ペン軸３１の配設位置の周囲に配設される。赤外線ＬＥＤ３３は、ペン軸３１の先端が紙面に触れるとき、その接触部位およびその周囲の部位へ赤外線を照射する。ＣＭＯＳセンサ３４は、紙面のその接触部位およびその周囲の部位により反射される赤外線を受光する。ＣＭＯＳセンサ３４は、受光した赤外線の強度分布データを、マイクロコンピュータ３８へ出力する。
【００４３】
マイクロコンピュータ３８は、メモリ、ＣＰＵ（Ｃｅｎｔｒａｌ  Ｐｒｏｃｅｓｓｉｎｇ  Ｕｎｉｔ）、入出力ポート（図示せず）などを有する。入出力ポートには、筆圧センサ３２、赤外線ＬＥＤ３３、ＣＭＯＳセンサ３４、ＵＳＢＩ／Ｆ３５、タイマ３６、不揮発性メモリ３７などが接続される。電子ペン４のＣＰＵは、不図示のメモリなどから制御プログラムを読み込んで実行する。これにより、電子ペン４のマイクロコンピュータ３８には、読取データ生成部４１と、読取データ送信部４２と、が実現される。
【００４４】
読取データ生成部４１は、ＣＭＯＳセンサ３４により撮像される座標パターン１３を紙面中の座標値へ変換し、図７に示す読取データ４６を生成する。すなわち、座標値の読取座標データ（読取座標情報）５１（図８参照）などを有する読取データ（読取情報）４６を生成する。読取データ（情報）生成部４１は、生成した読取データ４６を不揮発性メモリ３７に記憶させる。
【００４５】
図８は、図７中の不揮発性メモリ３７に記憶される所定時間内の読取データ４６のデータ構造の一例を示す図である。読取データ４６は、通常、複数のレコードで構成される。図８では、横一列が１つのレコードに相当する。読取データ４６の各レコードは、少なくとも、読取座標データ（情報）５１と、ペン圧レベルデータ（情報）５２と、読取時刻データ（情報：読取時間データとも称する）５３と、を有する。読取座標データ５１は、ＣＭＯＳセンサ３４により撮像される座標パターン１３から得られる座標値を有する座標データであり、Ｘ，Ｙの二次元の座標データである。ペン圧レベルデータ５２は、筆圧センサ３２が検出した筆圧値を有するデータである。読取時刻データ５３は、ある１つの座標パターン１３が得られたときの、タイマ３６が計測する時刻（時間）を有するデータである。
【００４６】
図２中の各コマンドマーク２２，２３，２４の部分は、各コマンドマーク２２，２３，２４の印刷されている位置を示す読取座標データに、各機能を紐付けすることで、それぞれの機能を実現するようにしている。
【００４７】
読取データ送信部４２は、図７中の不揮発性メモリ３７に記憶される読取データ４６を、ＵＳＢＩ／Ｆ３５を介してＵＳＢケーブル３により接続される機器へ送信する。図１のＡＶＮシステム１では、電子ペン４のＵＳＢＩ／Ｆ３５には、ＵＳＢケーブル３によりＡＶＮ本体２が接続される。この結果、この実施の形態では、読取データ送信部４２は、ＡＶＮ本体２へ、不揮発性メモリ３７に記憶される読取データ４６を送信する。
【００４８】
図９は、ＡＶＮシステム１の主要な構成を示すブロック図である。ＡＶＮシステム１は、ＡＶＮ本体２、電子ペン４、楽曲選曲シート５、を有し、ＡＶＮ本体２は、制御部６１と、表示部１０とオーディオ信号出力部６２とを有する。制御部６１は、取得データ解析部１００、変換テーブル１０１、楽曲書誌データ記憶部１０２、プレイリスト生成部１０３、制御管理部１０４、楽曲ＤＢ１０５、楽曲選択部１０６、ＲＡＭ（Random Access Memory）１０７、ＲＯＭ（Read Only Memory）１０８、プレイリスト記憶部１０９、およびシステムバス１１０により構成される。
【００４９】
なお、図９では、本実施の形態に関わる部分のみの構成を示しており、一般（公知）のＡＶＮ（カーナビゲーションシステム）の構成全体を示したものではない。また、図９では、説明を簡単にするため、１つの制御部６１を配置し、また１つの制御管理部１０４によりＡＶＮシステム１の制御や管理を行うものとしているが、これに限定されることは無く、各機能ブロック毎に制御部または制御管理部を有するユニット構成とすることも可能である。また、各機能ブロックが行う各機能を１つまたは複数のソフトウェアで行うようにしても良い。
【００５０】
電子ペン４は、特殊なパターンが印刷された専用の楽曲選曲シート５を所定のペン圧（筆圧）レベル以上にてなぞることにより、所定の間隔にて楽曲選曲シート５の軌跡情報（読取座標情報および読取時刻情報）を読み取り、取得データ解析部１００に供給する。なお、軌跡情報を取得データ、座標情報を位置情報とも称する。
【００５１】
取得データ解析部１００は、制御管理部１０４の制御のもと、電子ペン４より供給された軌跡情報（取得データ）から、電子ペン４により、楽曲選曲シート５のどの部分が選択された（なぞられた）のかを解析し、該解析結果をもとに、（１）横軸のパラメータを何にするのかを設定し、（２）縦軸のパラメータを何にするのかを設定し、（３）グリッドのサイズを設定し、（４）それぞれの設定を記憶する。
【００５２】
また、取得データ解析部１００は、軌跡情報（図２の曲線ｘ）に含まれる位置情報（読み取り座標情報）に対応する書誌データを、変換テーブル１０１（設定・記憶された横軸および縦軸のパラメータならびにグリッドのサイズに対応する部分）から検索し、該検索された書誌データに対応する楽曲名を楽曲書誌データ記憶部１０２から検索し、該検索された楽曲名をプレイリスト生成部１０３に出力する。なお、書誌データとは、本実施の形態においては、図１０の楽曲毎の書誌データに示すように、楽曲毎のイメージ（楽曲の明るさ［明暗］や、楽曲の激しさ［静激］や、楽曲のテンポ［遅速］や、楽曲の年代［新旧］等）を示すものである。このデータは、楽曲ＤＢ（データベース）１０５に記憶された楽曲毎にユーザが設定しても良いし、ＣＤＤＢ（CD DataBase）など外部からのデータを利用して設定（作成）してもよい。
【００５３】
変換テーブル１０１は、位置情報（読み取り座標情報）と書誌データとを対応付けたテーブルを記憶する。楽曲書誌データ記憶部１０２は、楽曲名毎に書誌データと対応付けたテーブルを記憶する。具体的には、図１０に示す楽曲名毎の書誌データを記憶する。
【００５４】
プレイリスト生成部１０３は、制御管理部１０４の制御のもと、取得データ解析部１００より出力された楽曲名を入力・記憶し、電子ペン４によるユーザが所望する楽曲の選択が完了した時点（図２の曲線ｘをなぞり終えた時点）において、記憶された複数の楽曲名からプレイリストを生成し、プレイリスト記憶部１０９に記憶する。
【００５５】
プレイリストの一例を図１１に示す。図１１では、再生される楽曲毎に再生順序（例えば、図２の曲線ｘのなぞり始めから終了までの間に順次に選択された楽曲順）が記載されているが、この再生順序は特に設けなくても良い。なお、プレイリストは、表示部１０に表示される。また、ユーザが所望する楽曲とは、ユーザが聞きたいと思うイメージ（書誌データ）を有する楽曲のことであり、楽曲の選択とは、楽曲選曲シート５の楽曲選曲図２１上を電子ペン４にてなぞる行為をいう。
【００５６】
制御管理部１０４は、プロセッサ等から構成され、ＡＶＮシステム１全体の動作を制御する。
【００５７】
楽曲ＤＢ１０５は、実際に再生される楽曲の再生データを所定のデータ形式にて記憶する。楽曲選択部１０６は、制御管理部１０４の制御のもと、プレイリスト記憶部１０９を参照し、再生順序に従って楽曲を楽曲ＤＢ１０５より読み出してオーディオ信号出力部６２に供給する。
【００５８】
オーディオ信号出力部は、制御管理部１０４の制御のもと、楽曲ＤＢ１０５より読み出された楽曲の再生データを所定の方式にてデコードし、図示しない音声出力部に供給し、再生音楽を出力する。
【００５９】
ＲＡＭ１０７は、制御管理部１０４のワークエリアとして機能する。ＲＯＭ１０８は、このＡＶＮシステム１全体の動作制御に必要なオペレーティングシステム（ＯＳ）や動作プログラムや各種のデータを記憶する。
【００６０】
表示部１０は、例えば、楽曲選択（楽曲選択のための解析）が行われた後における解析例（図３参照）や、プレイリスト記憶部１０９に記憶されたプレイリストの表示を行う。プレイリスト記憶部１０９は、プレイリスト生成部１０３にて生成されたプレイリスト（図１１参照）を記憶する。
【００６１】
システムバス１１０は、上述の各処理部の間で命令やデータを転送するための伝送経路である。
【００６２】
次に、本実施の形態におけるＡＶＮシステム１の動作について、図１２のフローチャートを参照して説明する。なお、以下に説明する動作は、楽曲選曲の一例を示すものであって、種々の変形が可能である。以下の動作説明では、取得データ解析部１００が、電子ペン４よりの取得データから、最初に、横軸のパラメータ、縦軸のパラメータ、およびグリッドのサイズを設定・記憶し、その後、楽曲選曲図２１上のなぞりが開始されることにより得られるデータ（図２の曲線ｘ）に基づいてリアルタイムに楽曲名の検索を行い、楽曲選曲図２１上のなぞりが終了（楽曲選曲操作の終了）した時点でプレイリストの生成を行う場合を例に説明する。この場合、電子ペン４により楽曲選曲図２１上をなぞり始めた開始点に対応する楽曲から楽曲再生を開始し、なぞり終わった終了点に対応する楽曲までを順次に再生するためのプレイリストが生成されることとなる。
【００６３】
まず、電子ペン４の制御部（図示せず）は、筆圧センサ３２のペン圧レベルが所定値以上であるか否かを判断し（ステップＳ１）、所定値以下（ＮＯ）と判断された場合には、所定時間後にステップＳ１を再度行い、所定値以上（ＹＥＳ）であると判断された場合には、処理をステップＳ２に移す。
【００６４】
ステップＳ２に移行すると、制御管理部１０４の制御のもと取得データ解析部１００は、電子ペン４から供給される情報（取得データ）に基づいて、横軸のパラメータ、縦軸のパラメータ、およびグリッドのサイズを設定・記憶し、処理をステップＳ３に移す。
【００６５】
ステップＳ３に移行すると、制御管理部１０４の制御のもと取得データ解析部１００は、楽曲選曲のための電子ペン４による楽曲選択画面２１上のなぞり（例えば、図２の曲線ｘ）が開始されたか否かを、電子ペン４から供給される取得データに基づいて判断する。開始されたと判断されなかった（ＮＯ）場合には処理をステップＳ１に戻し、判断された（ＹＥＳ）場合には処理をステップＳ４に移す。なお、ＮＯの場合、ステップＳ３を再度行うようにしても良い。
【００６６】
ステップＳ４に移行すると、制御管理部１０４の制御のもと取得データ解析部１００は、電子ペン４より供給される取得データ（座標情報）に基づいて、変換テーブル１０１を参照することで、当該座標情報に対応する書誌データを検索し、処理をステップＳ５に移す。
【００６７】
ステップＳ５に移行すると、制御管理部１０４の制御のもと取得データ解析部１００は、ステップＳ４にて検索・取得した書誌データに基づいて、楽曲書誌データ記憶部１０２を参照することで、当該書誌データに対応する楽曲名を検索し、処理をステップＳ６に移す。
【００６８】
ステップＳ６に移行すると、制御管理部１０４の制御のもと取得データ解析部１００は、ステップＳ５にて検索・取得した楽曲名をプレイリスト生成部１０３に供給する。楽曲名を供給されたプレイリスト生成部１０３は、制御管理部１０４の制御のもと、楽曲名を順次に記憶し、処理をステップＳ７に移す。なお、ステップＳ５にて、楽曲名が検索されなかった場合には、プレイリスト生成部１０３は、何も処理を行わず、処理をステップＳ７に移す。
【００６９】
ステップＳ７に移行すると、制御管理部１０４の制御のもと取得データ解析部１００は、楽曲選曲のための電子ペン４による楽曲選曲図２１上のなぞりが終了したか否かを判断する。なぞりが終了していない（ＮＯ）と判断された場合には処理をステップＳ４に戻し、終了した（ＹＥＳ）と判断された場合には、処理をステップＳ８に移す。
【００７０】
ステップＳ８に移行すると、制御管理部１０４の制御のもとプレイリスト生成部１０３は、記憶された楽曲名からプレイリスト（図１１参照）を生成し、プレイリスト記憶部１０９に記憶し、処理をステップＳ９に移す。
【００７１】
ステップＳ９に移行すると、制御管理部１０４は、プレイリスト記憶部１０９に記憶されたプレイリストを読み出して、表示部１０に出力し、処理を終了する。
【００７２】
次に、他の実施の形態について説明する。図１３は、楽曲選択（なぞった○印の範囲に入る全ての楽曲選択のための解析）が行われた後における解析例を示した図である。この場合、両端が閉じるようになぞった領域内（図３の例では右上方の領域）に入る楽曲が選曲される。なお、この領域もグリッドの大きさが考慮される。図１３において、選択された楽曲は白丸で表示され、選択されなかった楽曲は黒丸で表示されている。なお、この解析例は、表示部１０に表示されるが、表示されないようにしても良い。表示する場合、表示部１０には、楽曲選曲図２１のみ表示させ、各コマンドマーク２２，２３，２４は表示しないようにしても良い。図１３の例では、選択するための図形を示す<<形状>>に関するコマンドマークが示されており、［円］を指示された事を示している。
【００７３】
図１３において、選択するための図形を示すコマンドマークを[円]としたが、形状の指定をせずに、単に電子ペン４で囲った範囲内に入る楽曲を選曲する[範囲]としてもよい。
【００７４】
次に、さらに他の実施の形態について説明する。図１４は、楽曲選択（×で描かれた範囲以外の全ての楽曲選択のための解析）が行われた後における解析例を示した図である。この場合、×で描かれた範囲（グリッドのサイズを考慮する）以外の楽曲が全て選曲される。図１４において、選択された楽曲は白丸で表示され、選択されなかった楽曲は黒丸で表示されている。なお、この解析例は、表示部１０に表示するが、表示しないようにしても良い。表示部１０に表示する場合、表示部１０には、楽曲選曲図２１のみ表示させ、コマンドマーク２２，２３，２４，２５は表示しないようにしても良い。
【００７５】
なお、図１３に示す他の実施の形態、および、図１４に示す、さらに他の実施の形態では、新たな電子ペン用コマンドマークとして、<<形状>>を設け、「円」や「×」を入力するようにしているが、新たな電子ペン用コマンドマーク（上述の形状を設定する枠）を設けずに、電子ペン４から得られた軌跡情報から、形状認識を行うことにより、同様な結果（効果）が得られるようにしても良い。なお、図１３の、他の実施の形態、および、図１４の、さらに他の実施の形態により選択された楽曲においては、楽曲の再生順序は設定されない。が、このような場合、左上の「０，０」の座標に近い楽曲から順に再生するように初期設定をしてもよい。また、このような初期設定を変更できるようにしても良い。
【００７６】
以上、本発明の実施の形態によれば、表示部１０の大きさ（サイズ）に影響されず、グリッドのサイズ（幅）を変更することで、より詳細（ピンポイント）に楽曲を選曲することができる。また、楽曲の明るさ［明暗］や、楽曲の激しさ［静激］や、楽曲のテンポ［遅速］や、楽曲の年代［新旧］等のパラメータで、楽曲ＤＢに記憶された膨大な量の楽曲（保有楽曲）全てをユーザが記憶していなくても、これら楽曲のイメージ（パラメータ）を設定するだけで容易に且つ簡単にユーザ所望の楽曲選択を行うことが可能となる。
【００７７】
以上、上述の如くに、本発明の実施の形態について説明したが、本発明はこれに限られるものではない。例えば、上述のフローチャートによる動作の説明では、電子ペン４にて楽曲選曲図２１上のなぞりが開始されることにより得られる軌跡情報（図２の曲線ｘ）に基づいてリアルタイムに楽曲名の検索を行い、楽曲選曲図２１上のなぞりが終了（楽曲選曲操作の終了）した時点でプレイリストの生成を行うとして説明したが、これに限られることは無く、例えば、ＡＶＮ本体２の内部に位置情報とそれに対応する時間情報とを含む軌跡情報（取得データ）を記憶する軌跡情報記憶部を備えることにより、一旦、電子ペン４にて楽曲選曲図２１上のなぞりが開始され終了するまでの間に得られた情報（軌跡情報）を、この軌跡情報記憶部に記憶し、該軌跡情報記憶部より、時間情報に対応する位置情報を順次に検索することで該位置情報から楽曲名を順次に得て、これら楽曲名からプレイリストを生成するようにしても良い。このとき、古い時間情報に対応する位置情報から順次に楽曲名を検索し、順次再生（古い軌跡情報から順に再生）されるようにプレイリストを生成するようにしても良い。
【００７８】
また、電子ペン４が専用シートとなる楽曲選曲シート５上をなぞることにより得られるなぞり始めから終了までの間の一連の軌跡情報を、電子ペン４内部の不揮発性メモリに一旦記憶し、この一連の軌跡情報が、電子ペン４本体に設けられた専用のスイッチの操作、または、電子ペン４と取得データ解析部１００との有線もしくは無線による接続が行われたこと（専用シート上のスタート用コマンドマーク（“ＳＴＡＲＴ”マーク）２４をなぞることではない）をトリガとして電子ペン４内部に記憶された軌跡情報を取得データ解析部１００に転送（供給）することにより、取得データ解析部１００が、楽曲名の検索を開始するようにしても良い。これにより、一連の軌跡情報を電子ペン４内部の不揮発性メモリ３７に一旦記憶しておくことで、軌跡情報の持ち運びができ、別の場所や時間に選曲した楽曲を選択（再生）することが可能となる。さらに、同様な形式の変換テーブル１０１や楽曲書誌データ記憶部１０２を有する機器であれば、ひとつの電子ペン４にて複数の機器（他の機器）を操作することが可能となる。
【００７９】
また、取得データ解析部１００は、複数の専用シートまたは縦軸や横軸のパラメータやグリッドのサイズを変更しなぞることにより得られた、それぞれ複数の楽曲名の集合体間の全てまたは選択されたものの論理積をとることにより、ユーザが所望する楽曲の選曲のさらなる絞込みを行うようにしても良い。
【００８０】
また、ユーザがあまり多くの楽曲を聴きたくない場合には、軌跡情報（図２の曲線ｘ）が短くなるように、電子ペン４によって楽曲選曲図２１上をなぞるようにすると良い。さらに、グリッドの設定により、楽曲選曲にランダム性を持たせることが可能となる。
【００８１】
また、楽曲選曲（楽曲名の検索）により、複数の楽曲名が検索された場合には、所定の基準、例えば、過去に選曲された回数を基準として、よく再生する楽曲を選ぶようにしても良いし、全ての楽曲を再生するようにしても良い。
【００８２】
また、ＡＶＮ本体２の内部に示した各機能ブロックの全てまたは一部を、電子ペン４の内部に設けるようにしても良い。また、楽曲書誌データまたは楽曲名は、楽曲ＤＢ１０５に記憶されていても良い。
【００８３】
また、電子ペン４は出力データとして軌跡情報（座標情報および時刻情報）を取得データ解析部１００に出力する、すなわち、電子ペン４にて楽曲選曲シート５（専用シート）より読み取られた特殊なパターン（パターンデータ）を、電子ペン４にて座標情報（位置情報）に変換して出力するものとして説明したが、電子ペン４にて読み取られた特殊なパターンをそのまま取得データ解析部１００に出力するようにしても良い。この場合、例えば、変換テーブル１０１に前述の電子ペン４にて読み取られた特殊なパターンと座標情報とを対応付けるテーブルを用意（記憶）し、取得データ解析部１００にて、変換テーブル１０１を参照することにより、前述のパターンデータを座標情報に変換する。
【００８４】
また、携帯入力装置としては、赤外線使用の電子ペン４以外に、超音波、紫外線、磁気などのいずれかを使用する装置としても良い。
【００８５】
また、電子ペン４は軌跡情報を取得データ解析部１００へストリーミング送信してもよい。
【００８６】
また、特殊なパターン（座標パターン）としては、６×６の３６ドットで１つのパターンを示すものではなく、８×８の６４ドットで１つのパターンを示すものとしたり、ドット自体の形状を変えてパターンの継続を増やすパターン形状など他のパターンとしても良い。また、光学パターンではなく、磁気パターン等としても良い。
【００８７】
また、印刷媒体（専用シート）としては、各ドットが認識可能であれば、紙の他に、セルロイド樹脂などの樹脂材、金属材など他の印刷媒体としても良い。
【００８８】
また、上述の実施の形態のＡＶＮシステム１が持つ各構成ブロックの機能は、全てまたはその一部をソフトウェアによって実現しても、あるいはその少なくとも一部をハードウェアで実現しても良い。例えば、制御管理部１０４における処理の全部またはその一部は、１又は複数のプログラムによりコンピュータ上で実現しても良く、また、その少なくとも一部をハードウェアで実現しても良い。
【００８９】
また、上記実施の形態はあくまでも説明のためのものであり、本発明の範囲を限定するものではない。例えば、ＡＶＮ本体２の全部又は一部として動作させるためのコンピュータプログラムを、メモリカード、ＣＤ−ＲＯＭ、ＤＶＤ、ＭＯ（Magneto Optical Disk）などのコンピュータ読み取り可能な記録媒体に格納して配布し、これを別のコンピュータ、例えば、携帯電話、オーディオ機器、電子時計などにインストールし、ＡＶＮ本体２として動作させ、あるいは、ＡＶＮ本体２が行う工程を実行させてもよい。さらに、インターネット上のサーバ装置が有するディスク装置等にプログラムを格納しておき、例えば、搬送波に重畳させて、ＡＶＮ本体２となるコンピュータにダウンロード等するものとしてもよい。
【図面の簡単な説明】
【００９０】
【図１】本発明の実施の形態に係るＡＶＮシステムを示す構成図である。
【図２】図１に示される楽曲選曲シートの例（１ページ）を示す図である。
【図３】図１に示される楽曲選曲シートを利用して楽曲選択（楽曲選択のための解析）が行われた後における解析例を示す図である。
【図４】図１に示される楽曲選曲シートの他の例で、製本したものをばらして表示した図である。
【図５】図２に示される楽曲選曲シートの部分断面図である。
【図６】図５に示される楽曲選曲シートに対する座標パターンの印刷状態の一例を示す説明図である。
【図７】図１中の電子ペンの主要構成の一例を示すブロック図である。
【図８】図７中の不揮発性メモリに記憶される読取データのデータ構造の一例を示す図である。
【図９】図１中に示されるＡＶＮ本体の主要構成を示すブロック図である。
【図１０】図９中に示される楽曲書誌データ記憶部に記憶される楽曲名毎の書誌データの一例を示す図である。
【図１１】図９中に示されるプレイリスト記憶部に記憶されるプレイリストの一例を示す図である。
【図１２】本実施の形態におけるＡＶＮシステムの動作の流れを示すフローチャートである。
【図１３】図１のＡＶＮシステムで実行される解析例の他の例を示す図である。
【図１４】図１のＡＶＮシステムで実行される解析例のさらに他の例を示す図である。
【符号の説明】
【００９１】
１  ＡＶＮシステム
２  ＡＶＮ本体
３  ＵＳＢケーブル（通信ケーブル）
４  電子ペン（携帯入力装置）
５  楽曲選曲シート（専用シート）
１０  表示部
１３  座標パターン
２１  楽曲選曲図
２２，２３，２４，２５  コマンドマーク
４６  読取データ
５１  読取座標情報
５２  読取時刻情報
６１  制御部
６２  オーディオ信号出力部
１００  取得データ解析部
１０１  変換テーブル
１０２  楽曲書誌データ記憶部
１０３  プレイリスト生成部
１０４  制御管理部
１０５  楽曲ＤＢ
１０６  楽曲選択部
１０７  ＲＡＭ
１０８  ＲＯＭ
１０９  プレイリスト記憶部
１１０  システムバス
【図１】
2009199668.tif 000003
【図２】
2009199668.tif 000004
【図３】
2009199668.tif 000005
【図４】
2009199668.tif 000006
【図５】
2009199668.tif 000007
【図６】
2009199668.tif 000008
【図７】
2009199668.tif 000009
【図８】
2009199668.tif 000010
【図９】
2009199668.tif 000011
【図１０】
2009199668.tif 000012
【図１１】
2009199668.tif 000013
【図１２】
2009199668.tif 000014
【図１３】
2009199668.tif 000015
【図１４】
2009199668.tif 000016